(57)【要約】【課題】建物内への雨の打ち込みを確実に防ぐことができるとともに、自然換気を効率良く行うことができ、快適な居住環境を形成することが可能な建物を提供することを目的とする。【解決手段】最上階１の外壁１ａよりも外側に突出するようにして屋根２の軒部２ａが設けられたものであり、前記最上階１の天井部１ｂと、前記軒部２ａに設けられた軒天井部２ｂとが略同じ高さとなるように設けられており、前記最上階１の外壁１ａの上部に、前記最上階１の天井部１ｂ付近と、前記軒部２ａの軒天井部２ｂ付近とを連通する開口部３が形成されているとともに、この開口部３を開閉する換気窓４が設置されていることを特徴とする建物Ａの提供を上記課題の解決手段とする。【選択図】図１
2007162389.tif 000002
【特許請求の範囲】
【請求項１】
最上階の外壁よりも外側に突出するようにして屋根の軒部が設けられた建物において、
前記最上階の天井部と、前記軒部に設けられた軒天井部とが略同じ高さとなるように設けられており、
前記最上階の外壁の上部に、前記最上階の天井部付近と、前記軒部の軒天井部付近とを連通する開口部が形成されているとともに、この開口部を開閉する換気窓が設置されていることを特徴とする建物。
【請求項２】
請求項１に記載の建物において、
前記換気窓は、この換気窓が設置される前記最上階の外壁全周にわたって複数設置されていることを特徴とする建物。
【請求項３】
請求項１または２に記載の建物において、
前記換気窓は、窓枠に対し、下部を支点にして外側に傾斜開放する窓本体を備えた外倒し窓であることを特徴とする建物。
【請求項４】
請求項３に記載の建物において、
前記窓本体は、前記外壁から軒部の先端までの範囲内で傾斜開放するように設定されていることを特徴とする建物。
【請求項５】
請求項１〜４のいずれか一項に記載の建物において、
前記最上階には、吹抜け部を有する第１部屋と、この第１部屋に隣接するとともに第１部屋よりも床面が半階高い第２部屋とが設けられており、
前記第１部屋の天井部と、前記第２部屋の天井部とが同じ高さ位置に設けられていることを特徴とする建物。
【請求項６】
請求項５に記載の建物において、
前記第２部屋には、前記第１部屋に面して開口部が形成されており、
前記開口部に、この開口部を開閉する障子窓が設けられていることを特徴とする建物。
【発明の詳細な説明】
【技術分野】
【０００１】
本発明は、最上階の外壁よりも外側に突出するようにして屋根の軒部が設けられた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、多くのエネルギーを消費するという問題があった。このため、特に、春や秋等の気候がよい季節においては上記のような換気装置を用いずに、各部屋の窓やドアを開けて建物内に外気を導入し、建物内部の空気と入れ換える等して自然換気を行うようにしている。
【０００５】
しかしながら、暖かい空気は上昇する性質を備えており、各部屋の窓やドアを開けただけでは、この暖かい空気が各部屋の天井部付近に溜まってしまい、効率よく換気を行うことが困難であった。このため、住宅等の建物において自然換気を効率良く行うことが可能な技術の開発が望まれていた。
【０００６】
また、降雨時においては、上記のように各部屋の窓やドアを開けた際に、雨が建物内に打ち込んでしまう場合があった。このため、各部屋の窓やドアを開けた場合であっても雨の打ち込みを防ぎたいという要望があった。
【０００７】
本発明の課題は、建物内への雨の打ち込みを確実に防ぐことができるとともに、自然換気を効率良く行うことができ、快適な居住環境を形成することが可能な建物を提供することを目的とする。
【課題を解決するための手段】
【０００８】
請求項１に記載の発明は、例えば、図１に示すように、最上階１の外壁１ａよりも外側に突出するようにして屋根２の軒部２ａが設けられた建物Ａにおいて、
前記最上階１の天井部１ｂと、前記軒部２ａに設けられた軒天井部２ｂとが略同じ高さとなるように設けられており、
前記最上階１の外壁１ａの上部に、前記最上階１の天井部１ｂ付近と、前記軒部２ａの軒天井部２ｂ付近とを連通する開口部３が形成されているとともに、この開口部３を開閉する換気窓４が設置されていることを特徴とする。
【０００９】
請求項１に記載の発明によれば、前記最上階１の天井部１ｂと、前記軒部２ａに設けられた軒天井部２ｂとが略同じ高さとなるように設けられているとともに、前記開口部３が前記最上階１の外壁１ａの上部に形成されているので、例えば開口部３が前記外壁１ａの下部に形成される場合に比して、降ってくる雨が前記軒部２ａによって遮られて建物Ａ内に打ち込みにくくなり、降雨時における建物Ａ内への雨の打ち込みを確実に防ぐことができる。
また、前記開口部３が、前記最上階１の天井部１ｂ付近と、前記軒部２ａの軒天井部２ｂ付近とを連通するようにして前記最上階１の外壁１ａの上部に形成されていることから、暖かい空気の上昇する性質を利用して前記最上階１の天井部１ｂ付近に溜まる建物Ａ全体の暖かい空気を、前記開口部３を通じて外部へと確実に排気することができるので、自然換気を効率良く行うことができる。
したがって、建物Ａ内への雨の打ち込みを確実に防ぐことができるとともに、自然換気を効率良く行うことができ、快適な居住環境を形成することが可能となる。
【００１０】
一方、前記開口部３に、この開口部３を開閉する換気窓４が設置されているので、例えば夏場等の温暖な時季においては、前記換気窓４を開けて前記開口部３を開放した状態にすることによって、建物Ａ内の暖かい空気を効率良く排気することができるとともに、冬場等の寒冷な時季においては、前記換気窓４を閉めて前記開口部３を閉塞した状態することによって、建物Ａ内の暖かい空気を逃がさないようにすることができるので、快適な居住環境を形成することが可能となる。
また、このように夏場において暖かい空気を効率良く排気することができるとともに、冬場において暖かい空気を逃がさないようにすることができるので、従来とは異なり、空調機器や換気装置等に係るコストを抑えることが可能となり、その上、多くのエネルギー消費を抑制することが可能となる。
【００１１】
請求項２に記載の発明は、例えば、図２（ａ）、（ｂ）および図３に示すように、請求項１に記載の建物Ａにおいて、
前記換気窓４は、この換気窓４が設置される前記最上階１の外壁１ａ全周にわたって複数設置されていることを特徴とする。
【００１２】
請求項２に記載の発明によれば、前記換気窓４が、前記最上階１の外壁１ａ全周にわたって複数設置されているので、前記最上階１の天井部１ｂ付近に溜まる暖かい空気を外部へと確実に排気することができるだけでなく、外部からの空気を多く取り入れることができる。これによって、より効率良く自然換気を行うことが可能となる。
【００１３】
請求項３に記載の発明は、例えば、図１に示すように、請求項１または２に記載の建物Ａにおいて、
前記換気窓４は、窓枠４ａに対し、下部を支点にして外側に傾斜開放する窓本体４ｂを備えた外倒し窓であることを特徴とする。
【００１４】
請求項３に記載の発明によれば、前記換気窓４が、窓枠４ａに対し、下部を支点にして外側に傾斜開放する窓本体４ｂを備えているので、この窓本体４ｂを外側に傾斜開放しておくことによって、暖かい空気を外部側へと排出するための排気経路を形成することができる。これによって、前記最上階１の天井部１ｂ付近へと上昇してくる暖かい空気を外部へと確実に排気することができるので、より一層効率良く自然換気を行うことが可能となる。
【００１５】
請求項４に記載の発明は、例えば、図１に示すように、請求項３に記載の建物Ａにおいて、
前記窓本体４ｂは、前記外壁１ａから軒部２ａの先端までの範囲内で傾斜開放するように設定されていることを特徴とする。
【００１６】
請求項４に記載の発明によれば、前記窓本体４ｂが、前記外壁１ａから軒部２ａの先端までの範囲内で傾斜開放するように設定されているので、降ってくる雨は前記軒部２ａによって遮られて建物Ａ内に打ち込みにくくなるので、降雨時における建物Ａ内への雨の打ち込みをより確実に防ぐことができる。
【００１７】
請求項５に記載の発明は、例えば、図３および図４に示すように、請求項１〜４のいずれか一項に記載の建物Ａにおいて、
前記最上階１には、吹抜け部１０ａを有する第１部屋１０と、この第１部屋１０に隣接するとともに第１部屋１０よりも床面２０ａが半階高い第２部屋２０とが設けられており、
前記第１部屋１０の天井部１０ｂと、前記第２部屋２０の天井部２０ｂとが同じ高さ位置に設けられていることを特徴とする。
【００１８】
請求項５に記載の発明によれば、吹抜け部１０ａを有する前記第１部屋１０の天井部１０ｂと、第１部屋１０よりも床面２０ａが半階高い前記第２部屋２０の天井部２０ｂとが同じ高さ位置に設けられていることから、前記最上階１、延いては最上階１へと上昇する建物Ａ全体の暖かい空気を、前記第１部屋１０の天井部１０ｂと、第２部屋２０の天井部２０ｂとに溜めることができる。
すなわち、前記最上階１、延いては建物Ａ全体の暖かい空気を、天井高が高く設定された前記第１部屋１０および第２部屋２０の各天井部１０ｂ、２０ｂに溜めることによって、前記外壁１ａの上部に形成された開口部３を通じて、確実に外部へと排気することができるので、自然換気を効率よく行なうことが可能となる。
【００１９】
また、前記第１部屋１０は吹抜け部１０ａを有していることによって、この第１部屋１０を広く開放的に見せることができるので、より快適な居住環境を形成することが可能となる。
さらに、前記第２部屋２０は、前記第１部屋１０よりも床面２０ａが半階高く設けられているので、前記第２部屋２０の床２０ａの下方に比較的大きな空間を確保することができる。すなわち、このような大きな空間を、例えば、前記最上階１の下方に位置する部屋の吹抜け部１０ａとしたり、前記第１部屋１０と同じ床２０ａ高さを有する低天井の収納室としたりすることで、建物Ａ内のスペースを有効的に活用することが可能となる。
【００２０】
請求項６に記載の発明は、例えば、図３に示すように、請求項５に記載の建物Ａにおいて、
前記第２部屋２０には、前記第１部屋１０に面して開口部２１が形成されており、
前記開口部２１に、この開口部２１を開閉する障子窓２２が設けられていることを特徴とする。
【００２１】
請求項６に記載の発明によれば、前記開口部２１に、この開口部２１を開閉する障子窓２２が設けられているので、前記開口部２１を開いた状態にすることによって、前記第１部屋１０と第２部屋２０とを連通することができ、空気の流通性を向上することができる。これによって、夏場等の温暖な時季において、前記最上階１の暖かい空気を効率良く排気することが可能となる。
また、冬場等の寒冷な時季においては、前記開口部２１を閉めた状態することによって気密性の向上を図ることができ、前記最上階１の暖かい空気を逃がさないようにすることができる。
さらに、隣接する第１部屋１０および第２部屋２０どうしの視線を遮ってプライバシーを確保したまま、採光を行うことができるので、より一層快適な居住環境を形成することが可能となる。
【発明の効果】
【００２２】
本発明によれば、前記最上階の天井部と、前記軒部に設けられた軒天井部とが略同じ高さとなるように設けられているとともに、前記開口部が前記最上階の外壁の上部に形成されているので、例えば開口部が前記外壁の下部に形成される場合に比して、降ってくる雨が前記軒部によって遮られて建物内に打ち込みにくくなり、降雨時における建物内への雨の打ち込みを確実に防ぐことができる。
また、前記開口部が前記最上階の天井部付近と、前記軒部の軒天井部付近とを連通するようにして前記最上階の外壁の上部に形成されていることから、暖かい空気の上昇する性質を利用して前記最上階の天井部付近に溜まる建物全体の暖かい空気を、前記開口部を通じて外部へと確実に排気することができるので、自然換気を効率良く行うことができる。
したがって、建物内への雨の打ち込みを確実に防ぐことができるとともに、自然換気を効率良く行うことができ、快適な居住環境を形成することが可能となる。
【発明を実施するための最良の形態】
【００２３】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２４】
本実施の形態の建物Ａは、図１に示すように、最上階１の外壁１ａよりも外側に突出するようにして屋根２の軒部２ａが設けられたものであり、
前記最上階１の天井部１ｂと、前記軒部２ａに設けられた軒天井部２ｂとが略同じ高さとなるように設けられており、
前記最上階１の外壁１ａの上部に、前記最上階１の天井部１ｂ付近と、前記軒部２ａの軒天井部２ｂ付近とを連通する開口部３が形成されているとともに、この開口部３を開閉する換気窓４が設置されている。
【００２５】
なお、本実施の形態の建物Ａは、図２（ａ）、（ｂ）〜図５に示すように、１階４０と２階とを備えた２階建ての建物Ａとなっており、前記最上階１は建物Ａの２階にあたる。
また、前記屋根２は、図３に示すように、前記最上階１の上方に位置し、平面視略Ｌ字状の寄棟屋根となっている。
そして、この屋根２の軒部２ａは、前記最上階１の外壁１ａよりも外側に突出するようにして設けられており、この軒部２ａには前記軒天井部２ｂが設けられている。さらに、この軒天井部２ｂは、図１に示すように、前記軒部２ａの先端である軒先部２ｃと、前記最上階１の外壁１ａとの間に水平に架け渡されて固定されている。
【００２６】
ここで、前記開口部３は、上述したように、前記最上階１の外壁１ａの上部に形成されており、前記最上階１の天井部１ｂ付近と、前記軒部２ａの軒天井部２ｂ付近とを連通した状態となっている。
すなわち、前記最上階１の天井部１ｂと、前記軒部２ａに設けられた軒天井部２ｂとが略同じ高さとなるように設けられているとともに、前記開口部３が前記最上階１の外壁１ａの上部に形成された状態となっているので、例えば開口部３が前記外壁１ａの下部に形成される場合に比して、降ってくる雨が前記軒部２ａによって遮られて建物Ａ内に打ち込みにくくなり、降雨時における建物Ａ内への雨の打ち込みを確実に防ぐことができるようになっている。
また、前記開口部３が、前記最上階１の天井部１ｂ付近と、前記軒部２ａの軒天井部２ｂ付近とを連通するようにして前記最上階１の外壁１ａの上部に形成されていることから、暖かい空気の上昇する性質を利用して前記最上階１の天井部１ｂ付近に溜まる建物Ａ全体の暖かい空気を、前記開口部３を通じて外部へと確実に排気することができるので、自然換気を効率良く行うことが可能となっている。
【００２７】
一方、前記開口部３には、この開口部３を開閉する換気窓４が設置された状態となっているので、例えば夏場等の温暖な時季においては、前記換気窓４を開けて前記開口部３を開放した状態にすることによって、建物Ａ内の暖かい空気を効率良く排気することができるとともに、冬場等の寒冷な時季においては、前記換気窓４を閉めて前記開口部３を閉塞した状態することによって、建物Ａ内の暖かい空気を逃がさないようにすることができるので、快適な居住環境を形成することが可能となる。
さらに、このように夏場において暖かい空気を効率良く排気することができるとともに、冬場において暖かい空気を逃がさないようにすることができるので、従来とは異なり、空調機器や換気装置等に係るコストを抑えることが可能となり、その上、多くのエネルギー消費を抑制することができるようになっている。
【００２８】
また、前記換気窓４は、図２（ａ）、（ｂ）および図３に示すように、この換気窓４が設置される前記最上階１の外壁１ａ全周にわたって複数設置された状態となっている。
このように前記換気窓４が、前記最上階１の外壁１ａ全周にわたって複数設置されていることによって、前記最上階１の天井部１ｂ付近に溜まる暖かい空気を外部へと確実に排気することができるだけでなく、外部からの空気を多く取り入れることができるので、より効率良く自然換気を行うことが可能となっている。
【００２９】
以上のような換気窓４は、図１に示すように、窓枠４ａに対し、下部を支点にして外側に傾斜開放する窓本体４ｂを備えた外倒し窓であり、前記窓本体４ｂは、前記外壁１ａから軒部２ａの先端までの範囲内で傾斜開放するように設定されている。
すなわち、前記換気窓４が、窓枠４ａに対し、下部を支点にして外側に傾斜開放する窓本体４ｂを備えているので、この窓本体４ｂを外側に傾斜開放しておくことによって、暖かい空気を外部側へと排出するための排気経路を形成することができる。これによって、前記最上階１の天井部１ｂ付近へと上昇してくる暖かい空気を外部へと確実に排気することができるので、より一層効率良く自然換気を行うことが可能となっている。
また、前記窓本体４ｂが、前記外壁１ａから軒部２ａの先端までの範囲内で傾斜開放するように設定されているので、降ってくる雨は前記軒部２ａによって遮られて建物Ａ内に打ち込みにくくなるので、降雨時における建物Ａ内への雨の打ち込みをより確実に防ぐことができるようになっている。
【００３０】
なお、換気窓４の開閉には、図６に示すように、ワイヤーロープ４ｃが使用されている。すなわち、前記窓枠４ａおよび窓本体４ｂに取り付けられた複数の滑車プーリー４ｄに前記ワイヤーロープ４ｃを巻きかけ、手動または電動によって、巻取り部４ｅに巻取ることができるようになっている。
また、本実施の形態の換気窓は、下部を支点にして外側に傾斜開放する窓本体を備えた外倒し窓であるが、この他にも、例えば滑り出し窓や回転窓等、暖かい空気の上昇・排出を妨げずに、効果的に排気することが可能な窓であれば変更可能である。
【００３１】
次に、本実施の形態の建物Ａの間取りについて説明する。
前記最上階１には、図３および図４に示すように、吹抜け部１０ａを有する第１部屋１０と、この第１部屋１０に隣接するとともに第１部屋１０よりも床面２０ａが半階高い第２部屋２０とが設けられており、  前記第１部屋１０の天井部１０ｂと、前記第２部屋２０の天井部２０ｂとが同じ高さ位置に設けられている。
【００３２】
すなわち、吹抜け部１０ａを有する前記第１部屋１０の天井部１０ｂと、第１部屋１０よりも床面２０ａが半階高い前記第２部屋２０の天井部２０ｂとが同じ高さ位置に設けられていることから、前記最上階１、延いては最上階１へと上昇する建物Ａ全体の暖かい空気を、前記第１部屋１０の天井部１０ｂと、第２部屋２０の天井部２０ｂとに溜めることができる。
つまり、前記最上階１、延いては建物Ａ全体の暖かい空気を、天井高が高く設定された前記第１部屋１０および第２部屋２０の各天井部１０ｂ、２０ｂに溜めることによって、前記外壁１ａの上部に形成された開口部３を通じて、確実に外部へと排気することができるので、自然換気を効率よく行なうことが可能となっている。
【００３３】
また、前記第１部屋１０は吹抜け部１０ａを有していることによって、この第１部屋１０を広く開放的に見せることができるので、より快適な居住環境を形成することが可能となっている。
【００３４】
さらに、前記第２部屋２０は、前記第１部屋１０よりも床面２０ａが半階高く設けられているので、前記第２部屋２０の床２０ａの下方に比較的大きな空間を確保することができる。すなわち、このような大きな空間を、例えば、前記最上階１の下方に位置する部屋の吹き抜け部分としたり、前記第１部屋１０と同じ床２０ａ高さを有する低天井の収納室としたりすることで、建物Ａ内のスペースを有効的に活用することが可能となる。
なお、本実施の形態において前記第２部屋２０の下方には、天井高が１．４ｍに設定された低天井収納室３０が設けられている。また、この低天井収納室３０の天井高は、０．９〜１．４ｍの高さの範囲であればよい。すなわち、前記低天井室の天井高を０．９〜１．４ｍに設定することによって、居住者が低天井収納室３０に入って、何とか作業ができる最低限の高さを確保でき、また、このように天井高を必要最低限に抑えることで、建物Ａの高さが高くなることによって隣接する建物に及ぼす日照減少等の影響を極力少なくすることが可能となっている。
【００３５】
一方、本実施の形態において前記第１部屋１０は、リビング１１ａ、ダイニング１１ｂおよびキッチン１１ｃを備えた共用居住空間１１となっており、前記第２部屋２０は和室となっている。さらに、これら第１部屋１０と第２部屋２０とは、階段１２を使用して行き来することができるようになっている。
【００３６】
また、前記第２部屋２０には、前記第１部屋１０に面して開口部２１が形成されているとともに、この開口部２１を開閉する障子窓２２が設けられた状態となっている。
このように前記開口部２１に、この開口部２１を開閉する障子窓２２が設けられているので、前記開口部２１を開放した状態にすることによって、前記第１部屋１０と第２部屋２０とを連通することができ、空気の流通性を向上することができる。これによって、夏場等の温暖な時季において、前記最上階１の暖かい空気を効率良く排気することが可能となる。
また、冬場等の寒冷な時季においては、前記開口部２１を閉塞した状態することによって気密性の向上を図ることができ、前記最上階１の暖かい空気を逃がさないようにすることができるようになっている。
さらに、隣接する第１部屋１０および第２部屋２０どうしの視線を遮ってプライバシーを確保したまま、採光を行うことができるので、より一層快適な居住環境を形成することが可能となっている。
【００３７】
以上のような建物Ａの最上階１の下方には、図５に示すように、複数の部屋等を備えた１階４０が設けられている。
すなわち、玄関ポーチ４１ａ、玄関土間４１ｂ、玄関ホール４１ｃ、シューズクローゼット４１ｄ等の玄関部４１や、１階寝室４２、また、洗面室４３ａ、１階用トイレ４３ｂ、浴室４３ｃ等の水回り室４３や、洋室４４が設けられている。
また、前記玄関部４１に連なり、前記１階寝室４２や水回り室４３、洋室４４に接続する廊下４６が１階４０の中央に設けられている。
【００３８】
さらに、前記水回り室４３と洋室４４との間には、建物Ａに隣接して坪庭５０が設けられているとともに、建物Ａ内部と前記坪庭５０とに連通する開口部４５が設けられている。そして、前記坪庭５０は多孔質状に形成された複数の敷石５０ａが敷き込まれた敷石スペース５０とされているとともに、この敷石スペース５０に水を撒くための散水装置５１が設置されている。
【００３９】
なお、前記敷石５０ａは、多孔質状に形成された板状の物が用いられており、複数の敷石５０ａが前記坪庭５０に敷き詰められた状態となっている。
【００４０】
また、前記散水装置５１は、前記敷石スペース５０に設置され、この敷石スペース５０全体に水を撒くことができるようになっており、前記複数の敷石５０ａが所定の高さ位置まで浸漬するように所定量の水を撒くようにしている。
そして、このように前記散水装置５１によって敷石スペース５０に所定量の水を供給することによって、前記複数の敷石５０ａに水を浸透させて保持することができるとともに、保持した水を蒸発させやすくなるので、前記坪庭５０の温度を低下させたり、温度の上昇を抑えたりすることが可能となる。
【００４１】
このような坪庭５０を建物Ａに隣接して設けることによって、前記坪庭５０の温度の低い外気を、前記開口部４５を通じて、また前記廊下４６を通じて１階４０の各部屋へと流入させることができるようになっている。
また、前記廊下４６を挟んで前記坪庭５０に対向する位置には、前記最上階１に上がるための階段４６が設置されているので、前記坪庭５０の温度の低い外気を、前記開口部４５を通じて最上階１へと吹き込ませることができるようになっている。
【００４２】
また、図４に示すように、前記最上階１には、建物Ａ内部と外部とに連通する開口部１３が設けられており、この開口部１３は前記坪庭５０の上部に位置するデッキスペース１４に通じている。
そして、このように前記坪庭５０の上部に前記デッキスペーが位置するようにしておけば、前記坪庭５０の温度を低下させたり、温度の上昇を抑えたりしておくことによって、温度の低い外気を坪庭５０の上部に位置する前記デッキスペース１４に取り入れることができる。また、前記デッキスペース１４に取り入れた温度の低い外気を、前記開口部１３を通じて建物Ａ内部に取り入れることができるようになっている。
【００４３】
また、前記共用居住空間１１に設けられた前記第２部屋２０へ上がるための階段１２を通じて、前記坪庭５０の温度の低い外気を前記第２部屋２０へと吹き込ませることができるようになっている。
【００４４】
なお、前記１階４０と最上階１とが、前記坪庭５０とデッキスペース１４とを通じて空気が流通しやすくなっているとともに、１階４０と最上階１とをつなぐ前記階段４６を通じて空気が流通しやすくなっているので、建物Ａの内部が通風性に優れたものとなる。したがって、自然換気を効率良く行うことができるようになっている。
【００４５】
また、図示はしないが、１階４０の前記洋室４４に隣接して庭を設け、この庭に複数の敷石５０ａを敷き込むとともに、水供給手段を設けるなどしても良い。このような庭を設けることによって、特に夏場などの温暖な時季において、温度の低い外気を、前記洋室４４に設けられた開口部４４ａを通じて建物Ａの内部に効率良く取り入れることができるので好ましい。
【００４６】
なお、本実施の形態の建物Ａの間取りは以上のように構成されているが、これに限られるものではなく、本発明の趣旨を逸脱しない範囲で適宜変更可能であることは言うまでもない。
【００４７】
また、以上のようにして自然換気を行う方法の他にも、図２（ａ）、（ｂ）に示すように、前記最上階１に設けられるバルコニー１５の外壁１ａに可動ルーバー１５ａ部を設けて日射を遮蔽したり、通気をコントロールしたりしても良く、さらには、図２（ｂ）に示すように、屋根２の軒天井部２ｂから棟部２ｄへの空気の流通を可能にして、屋根２の温度の上昇を防ぐようにしても良い。そして、図示はしないが、建物Ａの周囲に樹木を植えて、日射を遮るようにしても良い。
【００４８】
以上のように本実施の形態によれば、建物Ａ内への雨の打ち込みを確実に防ぐことができるとともに、自然換気を効率良く行うことができ、快適な居住環境を形成することが可能となる。
【図面の簡単な説明】
【００４９】
【図１】本発明の建物の主要部を示す断面図である。
【図２】本発明の建物の外観を示し、（ａ）は玄関に向かった正面図であり、（ｂ）は側面図である。
【図３】本発明の建物の最上階の間取りの一部および屋根を示す平面図である。
【図４】本発明の建物の最上階の間取りの一部を示す平面図である。
【図５】図４の建物の１階間取りを示す平面図である。
【図６】本発明の建物に設けられた換気窓を示す斜視図である。
【符号の説明】
【００５０】
Ａ  建物
１  最上階
２  屋根
２ａ  軒部
３  開口部
４  換気窓
【図１】
2007162389.tif 000003
【図２】
2007162389.tif 000004
【図３】
2007162389.tif 000005
【図４】
2007162389.tif 000006
【図５】
2007162389.tif 000007
【図６】
2007162389.tif 000008